(57)【要約】【課題】脚の折畳操作にともなって棚が折り畳まれたり、展開するようにした折畳椅子において、構成が簡単であり、脚の折畳状態で棚がブラブラしないように安定状態に折り畳まれるようにした棚付き折畳椅子を提供する。【解決手段】棚１２の両側に前後方向に延びる前方スライド溝１４及び後方スライド溝１５を設ける。前脚１の内側には上記前方スライド溝に摺動可能に係合する前方係止部材２０を設ける。後脚４の内側には上記後方スライド溝に摺動可能に係合する後方係止部材２１を設ける。脚の折畳操作にともなって棚１２は係止部材とスライド溝に案内されて移動し、折畳状態では、前方係止部材と後方係止部材に支持された状態で起立する。【選択図】図１
2014230677.tif 000002
【特許請求の範囲】
【請求項１】
前脚、後脚、座枠を折畳可能に連結した折畳椅子において、開脚状態の前脚、後脚間にわたる広さの載置面を有する棚を形成し、該棚の側面に前後方向に延びる前方スライド溝及び後方スライド溝を設け、前脚および後脚の内側面に前方係止部材および後方係止部材を設け、該前方係止部材を上記前方スライド溝に摺動可能に挿入するとともに上記後方係止部材を上記後方スライド溝に摺動可能に挿入したことを特徴とする棚付き折畳椅子。
【請求項２】
上記棚の前方スライド溝と後方スライド溝は棚の載置面を挟んで上下に分離して設けられている請求項１に記載の棚付き折畳椅子。
【請求項３】
上記前方係止部材は左右の前脚間に設けた前杆であり、後方係止部材は左右の後脚間に設けた後杆である請求項１又は２に記載の棚付き折畳椅子。
【請求項４】
上記棚は、前後方向に延びる縦枠線と、左右方向に延びる横枠線により格子網目状に形成され、前方の２本の横枠線は、縦枠線の上面に固着され、後方の２本の横枠線は縦枠線の下面に固着され、前方の横枠線の先端は下方に向かう屈曲部を介して上記縦枠線との間に前方スライド溝を形成する溝枠線で連絡され、後方の横枠線の先端は上方に向かう屈曲部を介して縦枠線との間に後方スライド溝を形成する溝枠線で連絡されている請求項１から３のいずれかに記載の棚付き折畳椅子。
【請求項５】
前脚、後脚を開脚した状態で、上記前方係止部材は前方スライド溝の外方端側の屈曲部に当接し、上記後方係止部材は後方スライド溝の外方端側の屈曲部に当接している請求項４に記載の棚付き折畳椅子。
【請求項６】
前脚、後脚を折畳んだ状態で、上記後方係止部材は後方スライド溝の内方端側の屈曲部に当接している請求項４に記載の棚付き折畳椅子。
【発明の詳細な説明】
【技術分野】
【０００１】
本発明は、座部の下方に荷物を載置できる棚を設けた棚付き折畳椅子に関する。
【背景技術】
【０００２】
従来より座部の下方に棚を設けて荷物等を載置できるようにした折畳椅子が知られている（例えば特許文献１、２参照）。上記特許文献１に記載の椅子の棚は、棚の後枠杆の両端を左右に突出させてその先端を後脚の左右パイプの内側に枢着し、前脚の左右パイプには回動レバーを取り付け、さらにこの回動レバーに回転自在に駒を軸承し、この駒の孔に上記棚の左右の側枠杆をそれぞれ貫挿してある。そして、椅子を折り畳む際、棚は後枠杆を中心として回動するとともに回動レバーと駒が回動することにより棚の左右の側枠杆が駒の孔内を摺動し、脚が完全に折り畳まれたときに棚が座の裏面側に垂直状態に折り畳まれるよう構成されている。この折畳状態で棚は後脚への枢着部と駒で垂直に起立した状態になっているから、全体的にみて下端部分だけで支持していることになり、上方の先端部分が殆どフリーになっている。したがって、この椅子の場合、棚の支持構造が複雑である上に折畳状態で棚が安定せず、ブラブラして取り扱いにくい。また、特許文献２に記載の椅子は、棚を前後２つ割りして前部棚と後部棚を形成し、この前部棚と後部棚の内方端を折畳可能に連結し、それぞれの外方端を前脚、後脚に枢着してある。この構成により、椅子を折り畳んだとき棚も同時に折り畳まれるから、特許文献１の椅子のように棚と脚の取付構造は不安定感がないが、棚自体の構成が複雑になるとともに椅子の開脚状態では棚に荷重がかかったときに棚自体が不安定であるという問題点がある。
【先行技術文献】
【特許文献】
【０００３】
【特許文献１】実公昭５２−１１６０７号公報（実用新案請求の範囲、図面）
【特許文献２】実公昭５６−３２１３２号公報（実用新案登録請求の範囲、図面）
【発明の概要】
【発明が解決しようとする課題】
【０００４】
本発明の解決課題は、上記のように脚の折畳操作にともなって棚が折り畳まれたり、展開するようにした折畳椅子において、棚自体の構成が簡単であり、脚の折畳状態で棚がブラブラしないように安定状態に折り畳むことができるようにした棚付き折畳椅子を提供することである。
【課題を解決するための手段】
【０００５】
本発明によれば、前脚、後脚、座枠を折畳可能に連結した折畳椅子において、開脚状態の前脚、後脚間にわたる広さの載置面を有する棚を形成し、該棚の側面に前後方向に延びる前方スライド溝及び後方スライド溝を設け、前脚および後脚の内側面に前方係止部材および後方係止部材を設け、該前方係止部材を上記前方スライド溝に摺動可能に挿入するとともに上記後方係止部材を上記後方スライド溝に摺動可能に挿入したことを特徴とする棚付き折畳椅子が提供され、上記課題が解決される。
【０００６】
また、本発明によれば、上記棚の前方スライド溝と後方スライド溝は棚の載置面を挟んで上下に分離して設けられ、上記前方係止部材は左右の前脚間に設けた前杆であり、後方係止部材は左右の後脚間に設けた後杆である上記端付き折畳椅子が提供される。
【発明の効果】
【０００７】
本発明は、上記のように構成され、前脚、後脚、座枠を折畳可能に連結した折畳椅子において、開脚状態の前脚、後脚間にわたる広さの載置面を有する棚を形成し、該棚の側面に前後方向に延びる前方スライド溝及び後方スライド溝を設け、前脚および後脚の内側面に前方係止部材および後方係止部材を設け、該前方係止部材を上記前方スライド溝に摺動可能に挿入するとともに上記後方係止部材を上記後方スライド溝に摺動可能に挿入したから、開脚状態では棚は各スライド溝に挿入された前方係止部材と後方係止部材が各スライド溝の外方端側に位置することによりほぼ水平に支持され、載置面に乗せた荷物の荷重をしっかりと支えることができる。そして、椅子を折り畳むと、上記各スライド溝に挿入された前方係止部材と後方係止部材は各スライド溝の内方端側に位置し、棚は中心部で係止部材により支持される。そのため、従来のように、垂直状態に起立させた棚を下端側だけで保持する場合に比べて、棚は安定状態に保持され、ブラブラするようなことがなく、取扱いやすい。その上、構成が簡単であるので、経済的に得ることができる。
【０００８】
また、上記棚の前方スライド溝と後方スライド溝を、棚の載置面を挟んで上下に分離して設けると、椅子を折畳んだとき、棚は載置面の両側に係止部材が位置することになるから、棚は両面から支えられ、一層安定状態に保持される。さらに、上記前方係止部材として左右の前脚間に前杆を設け、後方係止部材として左右の後脚間に後杆を設け、前杆、後杆をそれぞれ上記スライド溝に挿通させると、係止部材の構成が簡単になり、荷重も確実に坦持することができる。
【図面の簡単な説明】
【０００９】
【図１】本発明の一実施例を示す使用状態の斜視図。
【図２】使用状態の断面図。
【図３】折畳状態の正面図。
【図４】折畳状態の断面図。
【図５】棚の一実施例を示す斜視図。
【図６】折り畳みの途中の説明図。
【図７】図６に示す状態からさらに折り畳んだ状態の説明図。
【図８】図７に示す状態からさらに折り畳んだ状態の説明図。
【発明を実施するための形態】
【００１０】
本発明の棚付き折畳椅子は、前脚、後脚、座枠を折畳可能に連結したどのような形式の折畳椅子にも適応することができるが、以下図１に示す折畳椅子に本発明を適応した一実施例につき説明する。図１〜図４を参照し、本発明の折畳椅子は、パイプ材料を屈曲して左右の前脚１と背もたれ枠２を一連に形成し、背もたれ枠２には背３を設けてある。左右の後脚４はパイプ材料を略Ｕ字状に屈曲して形成され、上端にシリンダー部５を設け、このシリンダー部５に、上記背もたれ枠２に枢着６したロッド７を挿入してある。上面に座部８を設けた座枠９は、中間部が上記前脚１の中間部に枢着１０され、後端部が上記後脚４に枢着１１されている。
【００１１】
上記の構成により座枠９の先端を持ち上げて回動させると、上記ロッド７がシリンダー部５から引き出されるとともに後脚４と前脚１が接近し、完全に座枠９を回動させたときに前脚１と後脚４は折り畳まれる(図４)。また、図４に示す状態から座枠９を逆方向に回動させると、上記ロッド７がシリンダー部５に入り込むとともに前脚１、後脚４は図１に示すように開脚する。
【００１２】
上記前脚、後脚間には棚１２が設けられている。該棚１２は、プラスチック材料、木材料、金属板材料その他適宜の材料で構成することができるが、図に示す実施例では、図５に示すように金属製の丸棒材料で形成してあり、開脚状態の上記前脚１、後脚４間にわたる広さの網棚状の載置面１３を有している。この棚１２の側面には、前後方向に延びる前方スライド溝１４と後方スライド溝１５が設けられている。図５においては、前後方向に延びる縦枠線１６と、左右方向に延びる横枠線１７により格子状の網目を形成し、左右方向に延びる横枠線１７のうち、前方の２本の横枠線１７ａは、図５において、縦枠線１６の上面に固着され、後方の２本の横枠線１７ｂは縦枠線１６の下面に固着されている。そして、前方の横枠線１７ａの先端は下方に向かう屈曲部１８ａを介して上記縦枠線１６との間に前方スライド溝１４を形成する溝枠線１９ａで連絡され、後方の横枠線１７ｂの先端は上方に向かう屈曲部１８ｂを介して縦枠線１６との間に後方スライド溝１５を形成する溝枠線１９ｂで連絡されている。  
【００１３】
上記縦枠線１６、溝枠線１９及び屈曲部１８により形成されるスライド溝１４、１５は、図５に示す実施例では、棚１２の載置面１３を挟んで上面側、下面側に分離して設けられている。すなわち、図５において前方スライド溝１４が下側、後方スライド溝１５が上側に位置するように形成してある。前脚、後脚、座枠の折畳構造により上記スライド溝の上側、下側を逆にしたり、載置面の同じ側に前方スライド溝と後方スライド溝が位置するように設けたり、前方スライド溝と後方スライド溝を一連に形成することもできる。また、棚の構成に応じて載置面を形成する部材とスライド溝を形成する溝形成部材(図示略)を別に設けて載置面の側面に取り付けるようにすることもできる(図示略)。
【００１４】
上記前脚１の内側面には上記前方スライド溝１４に摺動可能に挿入される前方係止部材２０が設けられ、後脚４の内側面には上記後方スライド溝１５に摺動可能に挿入される後方係止部材２１が設けられている。図１に示す実施例では、上記前方係止部材２０は左右の前脚１間に設けた１本の前杆２２であり、後方係止部材２１は左右の後脚４間に設けた１本の後杆２３で構成してある。該前杆２２及び後杆２３は、それぞれ１本の金属製の丸棒材で構成してあるが、１本の丸棒材で構成せずに、上記スライド溝に確実に挿入される長さと、荷重を支持する十分な強度を有する短い長さのピン等の突起物(図示略)を脚の内側にそれぞれ設けて係止部材とすることもできる。
【００１５】
上記構成により、図１、図２に示すように、前脚１、後脚４を開脚して座部８に着座できるようにした状態において、棚１２は上記前方係止部材２０が前方スライド溝１４の外方端側の屈曲部１８ａに当接し、後方係止部材１２が後方スライド溝１５の外方端側の屈曲部１８ｂに当接してほぼ水平状態に位置している。したがって、載置面１３に物品を乗せたとき、前後の係止部材２０，２１でしっかりと保持され、棚１２が傾いたり、前後動するおそれがない。
【００１６】
そして、図６〜図８に示すように、座枠９の先端を上方に回動させると、前脚１と後脚４は次第に折り畳まれ、その途中で棚１２は上記係止部材２０，２１とスライド溝１４，１５が相対的に滑動して前後に移動しながら図４に示すように起立し、座部８の下方に折り畳まれる。この際、折畳状態で、棚１２の先端が座枠９の裏面側に突出する大きさに棚１２を形成することもできるが、好ましくは座枠９から突出しない程度の大きさに形成しておくと、椅子を積み重ねたり、折畳状態で並列させたりするとき、座枠９の裏面側に突出物が存在しなくなるから、取扱いが容易であり、一層好ましい。
【００１７】
図４に示すように、折畳状態で棚１２は、後方係止部材２１が後方スライド溝１５の内方端側の屈曲部１８ｂに当接するとともに前方係止部材２０が前方スライド溝１４に係合しているので、安定している。さらに、図に示すように上記スライド溝１４，１５を棚１２の載置面１３の上面、下面に分離して配置しておくと、折畳状態で起立している棚１２は両面から支持されるので、きわめて安定状態に棚を保持することができ、ブラブラするような不安定感がなくなる。
【００１８】
上記図４に示す状態から、座枠９を反対方向に回転させると、図８、図７、図６に示すように前脚、後脚は開脚状態に近づき、図１に示すように、棚１２は前脚１、後脚４間で展開状態で静止する。この操作の際、上述と逆に上記各係止部材は上記各スライド溝を摺動して外方端側に位置し、棚１２をほぼ水平状態に位置させることができる。
【符号の説明】
【００１９】
１    前脚
４    後脚
８    座部
９    座枠
１２  棚
１３  載置面
１４  前方スライド溝
１５  後方スライド溝
２０  前方係止部材
２１  後方係止部材
２２  前杆
２３  後杆
【図１】
2014230677.tif 000003
【図２】
2014230677.tif 000004
【図３】
2014230677.tif 000005
【図４】
2014230677.tif 000006
【図５】
2014230677.tif 000007
【図６】
2014230677.tif 000008
【図７】
2014230677.tif 000009
【図８】
2014230677.tif 000010